(57)【要約】      （修正有）【課題】包装袋の開封位置を一目で確認でき、包装袋をラベルに沿ってせん断して開封できるラベルおよびラベル付き包装袋を提供する。【解決手段】シート材により構成されて内部に内容物を収容して密閉され、一辺部に沿って直線的な開封がなされる包装袋と、包装袋の一辺部の近傍に、かつその一辺部とほぼ平行に、包装袋の一表面に粘着層を介して貼付されるとともに、包装袋の外縁からはみ出した非粘着性の摘み部を備えた長手状の開封ラベルとを備え、開封ラベルの摘み部が把持されて開封ラベルをその長手方向に沿って包装袋から引き剥がそうとする力が、粘着層を介して包装袋のシート材に厚さ方向のせん断力として作用し、開封ラベルの、少なくとも包装袋の一辺部から遠い側の内側ラベル側縁に沿って、シート材をせん断していく切断線が生じ、開封ラベルが貼付された開封シート片と、残る包装袋の本体部分とに分断されて、その包装袋が開封される。【選択図】図１
2009298464.tif 000002
【特許請求の範囲】
【請求項１】
シート材により構成されて袋状をなし、内部に内容物を収容して密閉され、一辺部に沿って直線的な開封がなされる包装袋と、
その包装袋の前記一辺部の近傍に、かつその一辺部とほぼ平行に、前記包装袋の一表面に粘着層を介して貼付されるとともに、その包装袋の外縁からはみ出した非粘着性の摘み部を備えた長手状の開封ラベルとを備え、
前記開封ラベルの摘み部が把持されてその開封ラベルをその長手方向に沿って前記包装袋から引き剥がそうとする力が、前記粘着層を介してその包装袋の前記シート材に厚さ方向のせん断力として作用し、その開封ラベルの、少なくとも前記包装袋の一辺部から遠い側の内側ラベル側縁に沿って、前記シート材をせん断していく切断線が生じ、前記開封ラベルが貼付された開封シート片と、残る包装袋の本体部分とに分断されて、その包装袋が開封されることを特徴とする開封ラベル付き包装袋。
【請求項２】
前記開封ラベルは、横長の長手帯状をなし、前記包装袋の前記一辺部とほぼ平行に包装袋の一表面に貼付されるとともに、その開封ラベルの一端部は前記包装袋の一方の側縁から自身の長手方向に一直線状にはみ出して、そのはみ出し部分が前記摘み部とされ、開封ラベルの他端部は前記包装袋の他方の側縁又はその近傍まで達するように位置しており、その開封ラベルの、前記包装袋の一辺部から遠い側の内側ラベル側縁に沿って前記切断線が生じる請求項１に記載の開封ラベル付き包装袋。
【請求項３】
前記開封ラベルが前記包装袋の一方の側縁からはみ出して前記摘み部とされるとともに、その開封ラベルの前記内側ラベル側縁が横切る前記包装袋の側端部には、その開封ラベルから外れかつ内側ラベル側縁に近接して、前記包装袋の内方へ向く切込み部が形成され、その切込み部を起点として前記開封ラベルによる切断線が生じる請求項２に記載の開封ラベル付き包装袋。
【請求項４】
前記開封ラベルには、品名、内容量、バーコードあるいは開封方向を示す矢印、をはじめとする表示部が形成されている請求項１ないし３のいずれか１項に記載の開封ラベル付き包装袋。
【請求項５】
シート材により構成されて袋状になし、内部に内容物を収容して密閉された包装袋の一表面に貼付されて、その包装袋を開封するための開封ラベルであって、
前記包装袋の一辺部の近傍に、かつその一辺部とほぼ平行に貼付される長手状のラベル本体と、
そのラベル本体の裏面に形成され、前記貼付により前記包装袋と一体化するための粘着層と、
前記ラベル本体と連続して形成され、前記包装袋の外縁からはみ出すように位置することとなる非粘着性の摘み部と、を備え、
前記粘着層において前記包装袋に一体的に貼付された状態で、前記摘み部が把持されてその開封ラベルをその長手方向に沿って前記包装袋から引き剥がそうとする力が、前記粘着層を介してその包装袋を構成する前記シート材に厚さ方向のせん断力として作用し、その開封ラベルの、少なくとも前記包装袋の一辺部から遠い側の内側ラベル側縁に沿って、前記シート材をせん断していく切断線が生じ、前記開封ラベルが貼付された開封シート片と、残る包装袋の本体部分とに分断されて、その包装袋が開封されることを特徴とする包装袋の開封ラベル。
【請求項６】
前記開封ラベルは、横長の長手帯状をなし、前記包装袋の前記一辺部とほぼ平行に包装袋の一表面に貼付されるとともに、その開封ラベルの一端部は前記包装袋の一方の側縁から自身の長手方向に一直線状にはみ出して、そのはみ出し部分が前記摘み部とされ、開封ラベルの他端部は前記包装袋の他方の側縁又はその近傍まで達する長さを有し、その開封ラベルの、前記包装袋の一辺部から遠い側の内側ラベル側縁に沿って前記切断線が生じる請求項５に記載の包装袋の開封ラベル。
【請求項７】
前記開封ラベルが前記包装袋の一方の側縁からはみ出す部分が前記摘み部とされる一方、前記包装袋の側端部に用意された内方へ向く切込み部を備えた包装袋に対し、その開封ラベルの前記内側ラベル側縁がその切込み部に対応する位置関係でその包装袋に貼付され、その切込み部を起点として前記開封ラベルによる切断線が生じる請求項６に記載の包装袋の開封ラベル。
【請求項８】
前記ラベル本体の表面には、品名、内容量、バーコードあるいは開封方向を示す矢印、をはじめとする表示部が形成されている請求項５ないし７のいずれか１項に記載の包装袋の開封ラベル。
【発明の詳細な説明】
【技術分野】
【０００１】
本発明は、例えば内容物が薬剤等である包装袋における開封をし易くした包装袋およびその包装袋のための開封ラベルに関する。
【背景技術】
【０００２】
従来、例えばカップラーメンやおにぎり等の非包装体を包装する包装フィルムに貼着され、該包装フィルムを開封するための包装フィルムの開封ラベルに関するものは、例えば特許文献１において開示され、周知されている。この開封方法は、ラベルの粘着力により包装フィルムを破るものである。
【特許文献１】特開平１１−２９２１４１号公報
【０００３】
一方、例えば内容物が粉薬等である包装袋では、開封用切込みやノッチを設けた包装袋や、ミシン目を設けた包装袋は、例えば特許文献２において開示されている。この開封方法は、切込みを包装袋の引き裂き口として引き裂くものである。
【特許文献２】特開平１０−７２０４１号公報
【発明の開示】
【発明が解決しようとする課題】
【０００４】
この種の包装袋の開封は、開封用切込みやノッチを左右の手で摘み、互い違いに引っ張って引き裂き力を加え、これによって開封用切込みを引き裂き口として開封できる。しかし、開封用切込み等の位置がわかりにくく、別の位置で開封し、開封に失敗し内容物が外に飛び出る恐れがあった。さらに、内容物が薬剤の包装袋において、内容物の異なる同種の包装袋が多数存在する場合、医療機関が患者に間違った包装袋を渡してしまう恐れがあった。
【０００５】
また、包装袋の商品管理等においてバーコードが利用されている。バーゴードは、レーザ光をバーコードに当て、バーコードの白バー、黒バーに応じて明暗が変化している反射レーザ光をバーコード解読器により、バーコードの情報を読み取る。しかし、包装袋が透明なものや、反射するものであると、バーコードの白バー、黒バーの読み取りが難しくなる。
【０００６】
本発明の課題は、包装袋にラベルを貼ることで、包装袋の開封位置を一目で確認でき、包装袋をラベルに沿ってせん断して開封できるラベルおよびラベル付き包装袋を提供することにある。
【課題を解決するための手段及び発明の効果】
【０００７】
上記の課題を解決するために、本発明は、シート材により構成されて袋状をなし、内部に内容物を収容して密閉され、一辺部に沿って直線的な開封がなされる包装袋と、
その包装袋の前記一辺部の近傍に、かつその一辺部とほぼ平行に、前記包装袋の一表面に粘着層を介して貼付されるとともに、その包装袋の外縁からはみ出した非粘着性の摘み部を備えた長手状の開封ラベルとを備え、
前記開封ラベルの摘み部が把持されてその開封ラベルをその長手方向に沿って前記包装袋から引き剥がそうとする力が、前記粘着層を介してその包装袋の前記シート材に厚さ方向のせん断力として作用し、その開封ラベルの、少なくとも前記包装袋の一辺部から遠い側の内側ラベル側縁に沿って、前記シート材をせん断していく切断線が生じ、前記開封ラベルが貼付された開封シート片と、残る包装袋の本体部分とに分断されて、その包装袋が開封されることを特徴とする。
【０００８】
以上のように構成することにより、包装袋の一辺部と平行に開封ラベルを袋の一表面に貼付することとなり、開封位置がわかりやすいラベル付き包装袋を提供することができる。また、せん断方向が包装袋の一辺部に沿って直線的な開封をなす包装袋のため、包装袋の一辺部から遠い側の内側ラベル側縁に沿って切断線が生じ、包装袋をこの切断線に沿ってきれいに開封し、開封ラベルを引き剥がすことで包装袋の開封を補助することとなる。よって、開封に失敗することなく、かつ内容物を外に飛び出してしまうことを防ぐ。ラベルに包装袋の内容物情報や品名等を印刷すれば、包装袋の種別の確認も容易となり、取り間違いや渡し間違いが少なく出来る。
【０００９】
また本発明における、前記開封ラベルは、横長の長手帯状をなし、前記包装袋の前記一辺部とほぼ平行に包装袋の一表面に貼付されるとともに、その開封ラベルの一端部は前記包装袋の一方の側縁から自身の長手方向に一直線状にはみ出して、そのはみ出し部分が前記摘み部とされ、開封ラベルの他端部は前記包装袋の他方の側縁又はその近傍まで達するように位置しており、その開封ラベルの、前記包装袋の一辺部から遠い側の内側ラベル側縁に沿って前記切断線が生じる。
【００１０】
包装袋の一方の側縁から開封ラベルに摘み部をはみ出して設けることにより、より包装袋の開封位置が確認しやすく、開封ラベルを掴みやすくなり、包装袋のせん断がしやすくなる。また、開封ラベルが包装袋の他方の側縁又はその近傍まで達していることで、包装袋の切断線は他方の側縁まで誘導され、包装袋の両側縁まできれいに開封ができる。
【００１１】
さらに本発明では、前記開封ラベルが前記包装袋の一方の側縁からはみ出して前記摘み部とされるとともに、その開封ラベルの前記内側ラベル側縁が横切る前記包装袋の側端部には、その開封ラベルから外れかつ内側ラベル側縁に近接して、前記包装袋の内方へ向く切込み部が形成され、その切込み部を起点として前記開封ラベルによる切断線が生じる。
【００１２】
包装袋の一方の側縁からはみ出して摘み部を設け、包装袋の側端部に開封ラベル側縁に近接して切込み部を設けることにより、開封ラベルの位置を確認することで切込み部を確認でき、切込み部を起点とし開封ラベルに沿って包装袋の開封がしやすくなる。
【００１３】
本発明では、前記開封ラベルには、品名、内容量、バーコードあるいは開封方向を示す矢印、をはじめとする表示部が形成されていることで、包装袋の内容物情報や価格表示などをラベルにより一目で確認でき、また内容物情報または価格情報をバーコード表示にすることで、包装袋の表面素材に関係なくバーコードによる確認が可能となる。加えて、矢印により開封方向が示されていれば、切込みのない包装袋でも開封方向を誘導できる。
【００１４】
また、このような包装袋のための開封ラベルは、シート材により構成されて袋状になし、内部に内容物を収容して密閉された包装袋の一表面に貼付されて、その包装袋を開封するための開封ラベルであって、
前記包装袋の一辺部の近傍に、かつその一辺部とほぼ平行に貼付される長手状のラベル本体と、
そのラベル本体の裏面に形成され、前記貼付により前記包装袋と一体化するための粘着層と、
前記ラベル本体と連続して形成され、前記包装袋の外縁からはみ出すように位置することとなる非粘着性の摘み部と、を備え、
前記粘着層において前記包装袋に一体的に貼付された状態で、前記摘み部が把持されてその開封ラベルをその長手方向に沿って前記包装袋から引き剥がそうとする力が、前記粘着層を介してその包装袋を構成する前記シート材に厚さ方向のせん断力として作用し、その開封ラベルの、少なくとも前記包装袋の一辺部から遠い側の内側ラベル側縁に沿って、前記シート材をせん断していく切断線が生じ、前記開封ラベルが貼付された開封シート片と、残る包装袋の本体部分とに分断されて、その包装袋が開封されることを特徴とする。
【００１５】
加えて、前記開封ラベルは、横長の長手帯状をなし、前記包装袋の前記一辺部とほぼ平行に包装袋の一表面に貼付されるとともに、その開封ラベルの一端部は前記包装袋の一方の側縁から自身の長手方向に一直線状にはみ出して、そのはみ出し部分が前記摘み部とされ、開封ラベルの他端部は前記包装袋の他方の側縁又はその近傍まで達する長さを有し、その開封ラベルの、前記包装袋の一辺部から遠い側の内側ラベル側縁に沿って前記切断線が生じる。
また、前記開封ラベルが前記包装袋の一方の側縁からはみ出す部分が前記摘み部とされる一方、前記包装袋の側端部に用意された内方へ向く切込み部を備えた包装袋に対し、その開封ラベルの前記内側ラベル側縁がその切込み部に対応する位置関係でその包装袋に貼付され、その切込み部を起点として前記開封ラベルによる切断線が生じる。
さらに、ラベル本体の表面には、品名、内容量、バーコードあるいは開封方向を示す矢印、をはじめとする表示部が形成されている。
【００１６】
このような開封ラベルによって、上述したような包装袋の開封位置や内容物の情報を容易に確認でき、開封がしやすく、またバーコード表示ではバーコードの読み取りがしすくなるといった効果が得られる。
【発明を実施するための最良の形態】
【００１７】
以下、本発明の実施形態を、図面を参照しながら説明する。
【００１８】
図１は、包装袋２に開封ラベル１を貼着させた図である。開封ラベル１は、横長の長手帯状をなし、表面にバーコード１ｃ、商品名１ｄを印刷してある。包装袋２は、シート材により構成されて袋状をなし、内部に内容物を収容して密閉され、一辺部２ａに沿って直線的な開封がなされる、一軸延伸により横方向に引裂性を有する合成樹脂製のものを使用することが好ましい。包装袋２長部のヒートシール側縁部には、包装袋の内方へ向かう開封用切込み部７が、せん断方向および一辺部２ａに対し平行に入れられている。また、開封用切込み部７の上辺に、包装袋２のせん断方向に対して平行になるよう開封ラベル１の長手辺が貼着されている。
【００１９】
図２は、図１の背面図である。摘み部１ｂは、包装袋の一方の側縁からはみ出してなり、包装袋２の切込み部７を入れたヒートシール側縁部より左の外側に、はみ出す位置に設けられている。これにより、摘み部１ｂは切込み部７の上辺に形成され、摘み部１ｂとなる。開封ラベル１の横手長さと包装袋２の上辺２ａは、ほぼ同じ長さが好ましく、この場合摘み部１ｂ分の長さｔ１に相当する長さｔ２だけ包装袋上辺２ａより短く貼着される。
【００２０】
ここで、ラベルの形状を説明する。
図５は、本発明に係る開封ラベル１の一実施形態の底面図である。開封ラベル１は、横長の長方形状であり、包装袋をせん断する機能を備えている。開封ラベル１の裏面には、粘着層１ｆと糊殺し層１ｅを設けられてなり、ラベル裏面片側端部の一部に設けられてなる糊殺し層１ｅが摘み部１ｂとなる。
【００２１】
ラベルは、表面に包装袋２の内容物の情報を表示し、例えば（図１も参照）商品名１ｄ、バーコード１ｃ（薬剤名などの情報を表示したもの）、その他に薬剤名、製造番号、使用番号、内容量などの情報などの薬剤情報および価格表示（バーコードなど）が印刷されてもよい。他にも、包装袋の開封方向を矢印などにより示すことも可能である。
【００２２】
図６は、開封ラベル１の正面図の一形態を示す図である。ラベル本体の裏面には、粘着剤が全体に塗布され粘着層１ｆが形成されており、粘着層１ｆの上からラベル端部側の一部を糊殺し層１ｅ（摘み部１ｂ）を形成してなる。粘着層１ｆにより包装袋２の一表面に貼付される。包装袋２をせん断するときに、非粘着性部分（糊殺し層１ｅ）が摘み部１ｂの役割を果たす。なお、本実施形態では摘み部１ｂは糊殺しを施しているが、初めから粘着剤を塗布しないで形成してもよい。
【００２３】
図４は、開封ラベル１を貼着する切込み部７を設けた包装袋２の一例の正面図である。図４（Ａ）は、ヒートシール部と内側容間の境界を破線で表した図、図４（Ｂ）は、ヒートシール部をハッチングにより示した図である。包装袋２となす左右縁部、下縁部の三周縁部３、４、５が熱接着によりヒートシールを施されている。この包装袋２に、開口部から粉状の薬などを収納部に収納し、その後開口縁部６をヒートシールにより封入する。開封用の切込みは、開封ラベル１を貼着させるため、従来の位置よりやや下に入れるとよい。ヒートシールを施した後、開封ラベル１を貼着させ、切込み部７を入れる。また、切込み部７を入れてからヒートシールしても良い。なお包装袋は、図９に示すのような切込みなしの包装袋２２でもよい。
【００２４】
以下に使用例を示す。図３は、図１の包装袋の開封を示した図であり、図３（Ａ）は、開封前の摘み部１ｂを手で掴んだ状態を示した図で、図３（Ｂ）は、開封途中を示した図で、図３（Ｂ）は、開封完了したときの図である。図３（Ａ）に示すように、ラベルの摘み部１ｂを指で掴み、図３（Ｂ）に示すように、切込み部上部の包装袋２とラベルを重ね合わせて引き裂くことにより、せん断方向に誘導される。図３（Ｃ）に示すように、前記包装袋の一辺部２ａから遠い側の内側ラベル側縁に沿って前記切断線が生じ、それに沿って包装袋はせん断されきれいに開封できる。
【００２５】
開封ラベル１下部の包装袋２側端部に切込み部７を設ければ開封の際、使用者が開封ラベル１の位置を確認すると、切込み部７の位置がすぐに把握できる。使用者は、摘み部１ｂを指でつまみ、摘み部１ｂと切込み部７上部の包装袋２を合わせて掴み、切込み部７下部の包装袋２と互い違いに引っ張り引き裂く。包装袋２をラベル下部に沿ってせん断することにより、包装袋２のきれいなせん断が可能となる。
【００２６】
薬剤が封入された包装袋２に薬剤名やバーコード１ｃがラベルに印刷され貼着された状態で、薬局や病院などの医療現場に出荷される。薬剤が封入された包装袋２を患者に配布する場合、ラベルに印刷された薬剤名を確認し、またラベルに印刷されたバーコード１ｃを機械で読み取ることにより、患者に渡す際に誤った薬剤の入った包装袋２を渡すことが起こりにくくなる。
【００２７】
また、透明な包装袋２や光を反射するような表面の包装袋２であっても、ラベルを包装袋２の外側に貼着させて形成されるため、バーコード１ｃの読み取りが行いやすい。加えて、薬剤の管理が機械で行えることにより、データとして記録が残り、管理がしやすくなる。
【００２８】
次に、本発明のいくつかの別実施形態について説明する。ここで、上記実施形態と同様の部材は、同一の符号を付して説明を省略する。
図７は、第２実施形態における開封ラベル別例１１の底面図である。図１と同様にラベル基材１ａで形成されているが、図７の構成では、ラベル基材１ａは長方形ではなく、粘着層１ｆが塗布されたラベル裏面から見るとＬ字型をなす。摘み部１ｂは、Ｌ字型の長辺部から出た短辺部で形成される。
【００２９】
図８は、図４に示した包装袋２に図７の開封ラベル別例１１を貼着させた図である。図１と同様に、ラベルを包装袋２に貼着させて形成されているが、図８の構成では、摘み部１ｂは、包装袋２の上縁側よりはみ出して貼着されてなる。ラベルが包装袋２の上部からはみ出ることよって、包装袋２の上部から包装袋の確認が可能となる。開封ラベル別例１１における開封方法は、包装袋２の上部から摘み部１ｂを掴み引き裂くことで、開封ラベル１と同様に包装袋２は開封ラベル別例１１下部に沿ってせん断される。
【００３０】
図９は、切込みのない包装袋２２に図１の開封ラベル１を貼着させた図である。包装袋２２は、図４と同様に薬などを収納部に収納されヒートシールを施され、図１と同様の位置にラベルを貼着させればよい。開封ラベル１が包装袋２２の側縁から摘み部１ｂがはみ出ているため、切込み部がない包装袋２２でも開封位置や開封方向が確認でき、きれいな開封が行える。開封方向は、図のような矢印により示すとより分かりやすくなる。
【００３１】
また図１０には、開封ラベル別例１２を示した。上記の開封ラベル１の摘み部１ｂはうち抜きにより丸みを持たせてあったが、図１０に示す開封ラベル別例１２は、長方形状で角張った状態である。図１０には、図４の包装袋に開封ラベル別例１２貼着させたが、図９に示した切込みのない包装袋に貼着させてもよい。ラベルの貼着位置は、上記に示したものと同様が好適である。
【００３２】
次に、本発明に係る開封ラベル１の貼着方法の一例を図１１に示した。開封ラベル１１は、横長の長手帯状に、いくつかが片端ずつ繋がって、一枚のテープ状に連なっており（図１２も参照）、個々の開封ラベル１には既に粘着層および糊殺しが施され、開封ラベル１の摘み部１ｂは角を取る打ち抜きがされている。この開封ラベル１同士は、側縁にミシン目１ｇなどにより切り離し可能な状態となっている。一方包装袋２は、包装袋２のラベル貼着位置を一直線上に個々に重ねず並べておくか、または包装袋２もミシン目などにより切り離し可能な状態で連なっていてもよい。
【００３３】
包装袋２のラベル貼着位置にあわせ、上記のテープ状に連なった開封ラベル１をそれぞれに貼着させていく。粘着層１ｆにより包装袋２へ貼着されるが、糊殺し１ｅの部分によりラベル全面が貼着されることはない。ラベル同士、包装袋２同士は、ミシン目などにより個々の切り離しが可能である。個々を切り離すと重なっていた摘み部１ｂの部分が切り取られるため、開封ラベル１付き包装袋２は、全面に開封ラベル１が貼着しているのではなく、摘み部１ｂの分ｔ１だけずれて貼着されている（図１も参照）。この方法で貼着させるには、開封ラベル１横手の長さは包装袋２の上辺２ａと同じ長さが好ましく、並べて多数を貼着する場合に同じ位置の貼着が可能となる。この方法により開封ラベル１貼着は、同時に多数の包装袋２に貼着することが可能となり、しかも収容物が同じ包装袋２への貼着ならば、間違ったラベルを貼ることが少なくできる。図１１では、切込みのある包装袋２および開封ラベル１を用いたが、開封ラベル別例１２や切込みのない包装袋２２を用いてもよく、組み合わせ等の形式に限定されるものではない。
【００３４】
以上、本発明の実施形態について説明したが、本発明はこれらの形式に限定されるものではなく、これらに具現された発明と同一性の範囲内において適宜変更して実施し得る。例えば、本発明の開封ラベルは、錠剤、カプセル、細粒、顆粒、散剤、液剤などの医薬品や、医薬品以外の内容物を収納した包装袋に適用してもよい。
【図面の簡単な説明】
【００３５】
【図１】（Ａ）は包装袋にラベルを貼着させた正面図、（Ｂ）は図１（Ａ）における包装袋のヒートシール部をハッチングで示した図。
【図２】（Ａ）は図１（Ａ）における背面図、（Ｂ）は図１（Ｂ）における背面図。
【図３】（Ａ）は本発明の開封例を示した図、（Ｂ）は開封途中を示した図、（Ｃ）は開封完了を示した図。
【図４】（Ａ）は本発明に使用する包装袋の一例を示した図、（Ｂ）は図１（Ａ）におけるヒートシール部をハッチングで示した図。
【図５】本発明の開封ラベルの一実施形態を示す底面図。
【図６】図５における正面図。
【図７】摘み部を垂直にした開封ラベルの底面図。
【図８】（Ａ）は図４の包装袋に図７のラベルを貼着させた正面図、（Ｂ）は図８（Ａ）におけるヒートシール部をハッチングで示した図。
【図９】（Ａ）は切込みのない包装袋に図１のラベルを貼着させた正面図、（Ｂ）は図９（Ａ）におけるヒートシール部をハッチングで示した図。
【図１０】（Ａ）は図４の包装袋に開封ラベル別例を貼着させた正面図、（Ｂ）は図９（Ａ）におけるヒートシール部をハッチングで示した図。
【図１１】本発明に係る開封ラベルの包装袋への貼着の一例を示した図。
【図１２】図１１における開封ラベルを拡大した図。
【符号の説明】
【００３６】
１    開封ラベル
１ａ  ラベル基材
１ｂ  摘み部
１ｃ  バーコード
１ｄ  商品名
１ｅ  糊殺し層
１ｆ  粘着層
２    包装袋
２２  切込みのない包装袋
２ａ  包装袋の一辺部
３、４、５、６  ヒートシール部
７    切込み部
１１  開封ラベル別例
１２  開封ラベル別例２
【図１】
2009298464.tif 000003
【図２】
2009298464.tif 000004
【図３】
2009298464.tif 000005
【図４】
2009298464.tif 000006
【図５】
2009298464.tif 000007
【図６】
2009298464.tif 000008
【図７】
2009298464.tif 000009
【図８】
2009298464.tif 000010
【図９】
2009298464.tif 000011
【図１０】
2009298464.tif 000012
【図１１】
2009298464.tif 000013
【図１２】
2009298464.tif 000014